(57)【要約】【課題】就業時間中には運転を停止させないで、就業時間外において運転を停止する切り忘れ防止タイマを備えた空気調和機を提供すること。【解決手段】空調運転を行なう空気調和機において、時刻を計時する計時手段と、前記空気調和機の運転が開始した時に作動し、所定時間計時した後に前記空気調和機の運転を停止させる切り忘れ防止タイマ手段と、前記所定時間、及び、前記切り忘れ防止タイマが所定時間計時した後に運転停止させる時間帯を記憶する記憶手段と、前記各手段および前記空気調和機の運転を制御する制御部とを備え、前記切り忘れタイマ手段が所定時間を計時した時、前記制御部は、前記計時手段による現時刻が前記記憶手段に記憶された前記時間帯に含まれているか否かを判断し、含まれている場合には前記空気調和機の運転を停止させ、含まれていない場合には前記切り忘れ防止タイマ手段を再作動させるように制御する。【選択図】図１
2013204976.tif 000002
【特許請求の範囲】
【請求項１】
空調運転を行なう空気調和機において、
時刻を計時する計時手段と、
前記空気調和機の運転が開始した時に作動し、所定時間計時した後に前記空気調和機の運転を停止させる切り忘れ防止タイマ手段と、
前記所定時間、及び、前記切り忘れ防止タイマが所定時間計時した後に運転停止させる時間帯を記憶する記憶手段と、
前記各手段および前記空気調和機の運転を制御する制御部とを備え、
前記切り忘れタイマ手段が所定時間を計時した時、
前記制御部は、前記計時手段による現時刻が前記記憶手段に記憶された前記時間帯に含まれているか否かを判断し、含まれている場合には前記空気調和機の運転を停止させ、含まれていない場合には前記切り忘れ防止タイマ手段を再作動させるように制御することを特徴とする空気調和機。
【請求項２】
空調運転を行なう空気調和機において、
時刻を計時する計時手段と、
予め設定された所定時刻に達した場合、前記空気調和機の運転を停止させる定時オフタイマ手段と、
前記空気調和機の運転が開始した時に作動し、所定時間計時した後に前記空気調和機の運転を停止させる切り忘れ防止タイマ手段と、
前記所定時間、及び、前記切り忘れ防止タイマが所定時間計時した後に運転停止させる時間帯を記憶する記憶手段と、
前記各手段および前記空気調和機の運転を制御する制御部とを備え、
前記切り忘れタイマ手段が所定時間を計時した時、
前記制御部は、前記計時手段による現時刻が前記記憶手段に記憶された前記時間帯に含まれているか否かを判断し、含まれている場合には前記空気調和機の運転を停止させ、含まれていない場合には前記定時オフタイマ手段を作動させるように制御することを特徴とする空気調和機。
【請求項３】
空調運転を行なう空気調和機において、
時刻を計時する計時手段と、
予め設定された所定時刻を計時した場合、前記空気調和機の運転を停止させる定時オフタイマ手段と、
所定時間計時した後に空気調和機の運転を停止させる切り忘れ防止タイマ手段と、
前記所定時間、及び、前記切り忘れ防止タイマを作動する時間帯を記憶する記憶手段と、
前記各手段および前記空気調和機の運転を制御する制御部とを備え、
前記制御部は、前記空気調和機の運転開始指示があると、前記計時手段による現時刻が前記記憶手段に記憶された前記時間帯に含まれているか否かを判断し、含まれている場合には前記切り忘れ防止タイマ手段を作動させ、含まれていない場合には前記定時オフタイマ手段を作動させるように制御することを特徴とする空気調和機。
【発明の詳細な説明】
【技術分野】
【０００１】
本発明は、切り忘れ防止タイマを備えた空気調和機に関するものである。
【背景技術】
【０００２】
従来より、空気調和機においては、運転を切り忘れて無駄な電力を消費しないために、タイマによって時間を設定して所定時間経過後に空調運転を停止させるオフタイマ機能がある。従来のオフタイマ機能は、空気調和機の運転開始操作とは別に操作する必要があったため、操作者は、空気調和機を運転開始する度に設定操作しなくてはならず、いちいち設定操作するのが面倒であり、また、オフタイマの設定を忘れるおそれがある。
【０００３】
このようなオフタイマ機能の課題を解決する技術として、例えば、特許文献１が既に提案されている。特許文献１には、切りタイマモードの設定を運転開始操作の度に行う必要がなく、空気調和機の運転の切り忘れを確実に防止するようにするために、空気調和装置の運転開始と同時に切りタイマモードが起動し、空気調和装置の運転開始から設定時間経過後に切りタイマ制御により空気調和装置の運転動作を停止するように構成したものである。
【特許文献１】特開平０９−１４７２１号公報
【発明の開示】
【発明が解決しようとする課題】
【０００４】
ところで、オフィスなどのように就業時間（例えば９時〜１７時）とそれ以外の時間帯とを区別できるような環境で使用する空気調和機の場合、終業時刻に合せて空気調和機の運転を停止させる定時オフタイマがある。これは、必ず終業時刻に運転停止することが出来るが、残業時などに再度運転開始した場合に、運転停止の操作を切り忘れると次の日の終業時刻まで停止しないため、長い時間無駄な運転を行なってしまい電気代が余分にかかってしまうという問題がある。
他方、特許文献１のように、運転開始と同時に起動するようにした切りタイマの場合、切りタイマの設定時間が短いと就業時間内であるにも関わらず空気調和機が運転停止してしまい、再度、運転を開始しなければならないという手間が生じてしまう。また、切りタイマの設定時間が就業時間をカバーするように長く設定すると、空気調和機が就業時間内に停止することは防げるが、定時オフタイマと同様に残業による就業時間外で空気調和機を再運転した後に切り忘れた場合、長い時間無駄な運転して電気代が余分にかかるおそれがある。
【０００５】
本発明は、上記問題点に鑑みなされたものであり、就業時間など特定の時間帯では動作せず、それ以外の時間帯において適切に動作する切り忘れ防止タイマを備えた空気調和機を提供することを目的とするものである。
【課題を解決するための手段】
【０００６】
本発明の請求項１は、空調運転を行なう空気調和機において、時刻を計時する計時手段と、前記空気調和機の運転が開始した時に作動し、所定時間計時した後に前記空気調和機の運転を停止させる切り忘れ防止タイマ手段と、前記所定時間、及び、前記切り忘れ防止タイマが所定時間計時した後に運転停止させる時間帯を記憶する記憶手段と、前記各手段および前記空気調和機の運転を制御する制御部とを備え、前記切り忘れタイマ手段が所定時間を計時した時、前記制御部は、前記計時手段による現時刻が前記記憶手段に記憶された前記時間帯に含まれているか否かを判断し、含まれている場合には前記空気調和機の運転を停止させ、含まれていない場合には前記切り忘れ防止タイマ手段を再作動させるように制御することを特徴とする空気調和機である。
【０００７】
本発明の請求項２は、空調運転を行なう空気調和機において、時刻を計時する計時手段と、予め設定された所定時刻に達した場合、前記空気調和機の運転を停止させる定時オフタイマ手段と、前記空気調和機の運転が開始した時に作動し、所定時間計時した後に前記空気調和機の運転を停止させる切り忘れ防止タイマ手段と、前記所定時間、及び、前記切り忘れ防止タイマが所定時間計時した後に運転停止させる時間帯を記憶する記憶手段と、前記各手段および前記空気調和機の運転を制御する制御部とを備え、前記切り忘れタイマ手段が所定時間を計時した時、前記制御部は、前記計時手段による現時刻が前記記憶手段に記憶された前記時間帯に含まれているか否かを判断し、含まれている場合には前記空気調和機の運転を停止させ、含まれていない場合には前記定時オフタイマ手段を作動させるように制御することを特徴とする空気調和機である。
【０００８】
本発明の請求項３は、空調運転を行なう空気調和機において、時刻を計時する計時手段と、予め設定された所定時刻を計時した場合、前記空気調和機の運転を停止させる定時オフタイマ手段と、所定時間計時した後に空気調和機の運転を停止させる切り忘れ防止タイマ手段と、前記所定時間、及び、前記切り忘れ防止タイマを作動する時間帯を記憶する記憶手段と、前記各手段および前記空気調和機の運転を制御する制御部とを備え、前記制御部は、前記空気調和機の運転開始指示があると、前記計時手段による現時刻が前記記憶手段に記憶された前記時間帯に含まれているか否かを判断し、含まれている場合には前記切り忘れ防止タイマ手段を作動させ、含まれていない場合には前記定時オフタイマ手段を作動させるように制御することを特徴とする空気調和機である。
【発明の効果】
【０００９】
請求項１記載の発明によれば、切り忘れ防止タイマによって空気調和機の運転を停止させる時間帯を設けることで、空気調和機の運転中は常に作動しても停止させる時間帯以外の時間帯では切り忘れタイマによって不必要に停止することを防止し、停止させたい時間帯では必ず停止するので、切り忘れによる連続運転が行われるのを抑止できる効果がある。
【００１０】
請求項２、３記載の発明によれば、停止時間帯を設けた切り忘れ防止タイマと所定時刻になると運転停止させる定時オフタイマとを併用することで、停止時間帯以外の時間帯では定時オフタイマによって所定時刻になれば運転を停止させ、停止時間帯では切り忘れ防止タイマが機能することで、２つのタイマ機能が有効に働き、切り忘れによる連続運転が行われるのを抑止できる効果がある。
【図面の簡単な説明】
【００１１】
【図１】実施例１における切り忘れ防止タイマの動作制御に関するフローチャートである。
【図２】実施例２における切り忘れ防止タイマの動作制御に関するフローチャートである。
【図３】実施例３における切り忘れ防止タイマの動作制御に関するフローチャートである。
【図４】本発明の空気調和機の構成を表したブロック図である。
【発明を実施するための形態】
【００１２】
本発明による空気調和機は、空調運転を行なう空気調和機において、時刻を計時する計時手段と、前記空気調和機の運転が開始した時に作動し、所定時間計時した後に前記空気調和機の運転を停止させる切り忘れ防止タイマ手段と、前記所定時間、及び、前記切り忘れ防止タイマが所定時間計時した後に運転停止させる時間帯を記憶する記憶手段と、前記各手段および前記空気調和機の運転を制御する制御部とを備え、前記切り忘れタイマ手段が所定時間を計時した時、前記制御部は、前記計時手段による現時刻が前記記憶手段に記憶された前記時間帯に含まれているか否かを判断し、含まれている場合には前記空気調和機の運転を停止させ、含まれていない場合には前記切り忘れ防止タイマ手段を再作動させるように制御することを特徴とする空気調和機である。以下、詳細に説明を行う。
【実施例１】
【００１３】
本発明の実施の形態を図面に基づいて説明する。図４に示すのは、本発明の空気調和機の構成を表したブロック図である。この図４に示すように、本発明の空気調和機は、室内機１と室外機２と、操作用のリモコン３で構成される。
前記室内機１には、この室内機１の各部及び室外機２を制御する制御部４が設けられている。この制御部４には、リモコン３からの操作信号を受信するリモコン受信部５、制御部４からの制御信号によりリセット、計時のスタートを行うタイマ部６、空気調和機の制御に関わるプログラムやデータを記憶し、かつ、切り忘れ防止タイマの設定時間などの設定事項を記憶する記憶部７、制御部４からの制御信号を室外機２に送信するとともに、室外機２からの運転情報を受信して制御部にその情報を送る通信部８、制御部４からの制御信号に基づいてユーザーに各種の情報を報知する報知部９、制御部４からの制御信号に基づいて室外機２と協働して実際の空調動作を行う運転部１０が接続されている。
【００１４】
前記タイマ部６は、時間を計時するタイマを用いて設定時間を計時した後に空気調和機の運転を停止させる切り忘れ防止タイマ等の各種タイマの計時を行うタイマ手段６ａと、時刻を計時する計時手段である時計６ｂとからなる。タイマ手段６ａは、複数のタイマを同時平行で計時させる機能を有しているものとする。
【００１５】
前記リモコン３は、ユーザーの操作に従って空気調和機の制御を行なうリモコン制御部１１、リモコン３の制御に関わるプログラムやデータを記憶し、かつ、空気調和機の現在の設定値等を記憶する記憶部１２、ユーザーの操作を受け付ける操作キー部１３、運転情報などの情報をユーザーに表示する表示部１４、ユーザーの操作に従って操作信号を室内機１のリモコン受信部５に送信する送信部１５からなる。また、図４においてはタイマ部６を室内機１に組み込んで構成しているが、リモコン３の内部にタイマ部６を設けるようにすることも可能であり、図４の例は一例であるものとする。
【００１６】
図１に示すのは、実施例１における切り忘れ防止タイマの動作制御に関するフローチャートである。このフローチャートによる制御は、制御部４（リモコン３側でタイマ制御を行う場合には制御部１１）において行われ、適宜、タイマ部６、記憶部７（若しくは記憶部１２）が参照されて処理される。図１において、先ず、空気調和機の運転が開始される（Ｓ１０１）。ここで、切り忘れ防止タイマによる運転停止を実行する時間帯（以下、停止時間帯）が設定されている。この停止時間帯は、切り忘れ防止タイマが所定時間計時した時の時刻によって、運転を停止するか否か判断するもので、例えば、終業後から翌朝の始業時の１７時〜９時までを停止時間帯として設定し記憶部７に記憶させている。空気調和機の運転が開始すると、切り忘れ防止タイマが作動する（Ｓ１０２）。タイマ手段６ａにおいて所定時間（例えば、切り忘れ防止タイマ作動から２時間）を計時するカウントを始める。以後、タイマ手段６ａにおけるカウントが所定時間を経過したか否かを常に監視する（Ｓ１０３）。
【００１７】
タイマ手段６ａにおけるカウントが所定時間（２時間）を経過した場合（Ｓ１０３−Ｙ）には、その時点での時計６ｂによる時刻が停止時間帯に含まれているか否かを判断する（Ｓ１０４）。現在時刻が停止時間帯に含まれている場合（Ｓ１０４−Ｙ）には、空気調和機の運転を停止する（Ｓ１０５）。現在時刻が停止時間帯に含まれていなかった場合（Ｓ１０４−Ｎ）には、切り忘れ防止タイマの再作動させるためにＳ１０２へ移行する。
【００１８】
以上のように、本発明の実施例１による切り忘れ防止タイマの動作制御を行うことで、タイマ手段６ａによるカウント終了後の時刻が、例えば、就業時間である９時〜１７時、つまり停止時間帯に含まれない場合には、空気調和機を停止せずに運転を継続するようにして、就業時間中は切り忘れ防止タイマによる運転停止の機能を制限することができる。
【００１９】
他方、タイマ手段６ａによるカウント終了時の時刻が停止時間帯に含まれる場合には、空気調和機の運転を停止させる。即ち、就業時間外のみ切り忘れ防止タイマによる運転停止を実行することが可能となる。
このように、切り忘れ防止タイマによる停止時間帯を設けることで、例えば、就業時間帯には運転を停止させないで、停止時間帯として設定した就業時間帯以外の時間帯では切り忘れによる無駄な運転を確実に防止することができる。
【実施例２】
【００２０】
実施例１においては、切り忘れ防止タイマによる運転を停止する時間帯を設定して、停止する時間帯と停止せずに空気調和機を連続運転できる切り忘れ防止タイマを説明をしたが、空気調和機において切り忘れ防止タイマの他に、予め設定した所定の時刻になった場合に自動的に運転を停止する定時オフタイマが存在する。例えば、終業時刻の１７時を定時オフタイマによる運転停止の時刻として設定しておけば、特別な操作を行わなくても１７時になれば自動的に空気調和機の運転が停止される。
【００２１】
そこで、上記実施例１で採用した切り忘れ防止タイマによる運転停止させる時間帯を設定した切り忘れ防止タイマ機能と、定時オフタイマ機能とを組み合わせることによって、確実に空気調和機の運転を停止させる作用について、以下、説明を行う。
【００２２】
図２に示すのは、実施例２における切り忘れ防止タイマの動作制御に関するフローチャートである。このフローチャートによる制御は、制御部４（リモコン３側でタイマ制御を行う場合には制御部１１）において行われ、適宜、タイマ部６、記憶部７（若しくは記憶部１２）が参照されて処理される。図２において、先ず、空気調和機の運転が開始される（Ｓ２０１）。ここで、切り忘れ防止タイマによる運転停止する停止時間帯（以下、停止時間帯）が設定されていて、例えば、終業後から翌朝の始業時の１７時〜９時までの時間帯を設定して記憶部７に記憶する。空気調和機の運転が開始されると、切り忘れ防止タイマが作動する（Ｓ２０２）。タイマ手段６ａにおいて所定時間（例えば、切り忘れ防止タイマ作動から２時間）のカウントを始める。以後、タイマ手段６ａにおけるカウントが所定時間を経過したか否かを監視し（Ｓ２０３）、所定時間を経過していない場合（Ｓ２０３−Ｎ）にはステップＳ２０３で監視をし続ける。
【００２３】
タイマ手段６ａにおけるカウントが所定時間を経過した場合（Ｓ２０３−Ｙ）は、その経過時点での時計６ｂによる時刻が停止時間帯に含まれているかを確認する（Ｓ２０４）。現在時刻が停止時間帯に含まれている場合（Ｓ２０４−Ｙ）には、空気調和機の運転を停止する（Ｓ２０７）。現在時刻が停止時間帯に含まれていなかった場合（Ｓ２０４−Ｎ）には、運転を停止せずに定時オフタイマが作動する（Ｓ２０５）。
【００２４】
定時オフタイマが作動した場合（Ｓ２０５）には、現在時刻が定時オフタイマの所定時刻に達したか否かを監視し（Ｓ２０６）、所定時刻に達していない場合（Ｓ２０６−Ｎ）にはステップＳ２０６で監視を続け、所定時刻に達した場合（Ｓ２０６−Ｙ）には、空気調和機の運転を停止させる（Ｓ２０７）。
【００２５】
以上のように、本発明の実施例２によれば、切り忘れ防止タイマが作動し、タイマ手段６ａによるカウント終了時の時刻が停止時間帯、例えば、就業時間外の１７時〜９時までの時間帯に含まれる場合には、切り忘れ防止タイマの動作により空気調和機の運転を停止させる。
【００２６】
他方、切り忘れ防止タイマが作動されたとしても、タイマ手段６ａによるカウント終了時の時刻が停止時間帯に含まれない場合には、切り忘れ防止タイマによる運転を停止させずに空気調和機の運転を継続するようにし、その代わりに、定時オフタイマを作動させる。例えば、終業時刻である１７時を定時オフタイマの所定時刻として設定している場合には、特別な操作をしなくとも、１７時になれば自動的に空気調和機を停止させる。
【００２７】
このような制御とすることにより、切り忘れ防止タイマによる運転停止する時間帯以外の時間帯、例えば、就業時間帯で切り忘れ防止タイマによる運転停止が実行されるタイミングになっても運転停止させずに空気調和機の運転を継続するようにし、その代わりに定時オフタイマの所定時刻で運転を停止させるようにすることで、むやみに切り忘れ防止タイマによる運転停止が起こることを防ぎ、終業時刻直前、または就業時間外に、空気調和機を運転させた場合、切り忘れ防止タイマが作動し、所定時間経過後の時刻が運転停止を実行できる時間帯であれば、切り忘れ防止タイマで運転を停止する。
以上の制御により、定時オフタイマによって終業時に一度オフすることを基本として、残業等により再度空気調和機の運転を開始させたような場合に切り忘れ防止タイマを機能させるようにすることが出来るため、２つのタイマ機能が有効に働き、無駄な運転を防ぎ消費電力を抑える運用が可能となる。
【００２８】
実施例２においては、切り忘れ防止タイマ機能と定時オフタイマ機能を併用した一例で、空気調和機の運転開始と同時に切り忘れ防止タイマが作動し、作動してから所定時間経過時に、空気調和機の運転を停止するか、定時オフタイマを作動するかを判断するようにしている。
なお、上記説明では定時オフタイマは、切り忘れ防止タイマのカウントが所定時間経過後の時刻が停止時間帯に含まれない場合に作動するようにしているが、空気調和機の運転開始と同時に作動して、切り忘れ防止タイマのカウントが所定時間経過後の時刻が停止時間帯に含まれない場合にはそのまま作動し続けるようにしてもよい。
【実施例３】
【００２９】
上記実施例２とは別の実施例として、切り忘れ防止タイマが作動する時間帯（以下、作動時間帯）を設定し、空気調和機の運転開始時刻が作動時間帯に含まれているか否かで、切り忘れ防止タイマかまたは定時オフタイマかを選択させる例について、以下、説明を行う。
【００３０】
図３に示すのは、実施例３における切り忘れ防止タイマの動作制御に関するフローチャートである。このフローチャートによる制御は、制御部４（リモコン３側でタイマ制御を行う場合には制御部１１）において行われ、適宜、タイマ部６、記憶部７（若しくは記憶部１２）が参照されて処理される。図３において、先ず、空気調和機の運転が開始される（Ｓ３０１）。ここで、予めこの空気調和機においては切り忘れ防止タイマが作動する時間帯の設定が行われており、例えば、終業後から翌朝の始業までの１７時〜９時までの時間帯を設定して記憶部７に記憶する。空気調和機の運転が開始されると、時計６ｂによる現在時刻が作動時間帯に含まれているかを判断する（Ｓ３０２）。
現在時刻が切り忘れタイマの作動する時間帯に含まれている場合（Ｓ３０２−Ｙ）には、切り忘れタイマが作動する（Ｓ３０３）。現在時刻が作動時間帯に含まれていなかった場合（Ｓ３０２−Ｎ）には、定時オフタイマが作動する（Ｓ３０６）。
【００３１】
切り忘れ防止タイマが作動した場合（Ｓ３０３）には、タイマ手段６ａにおいて所定の設定時間（例えば、切り忘れ防止タイマが作動開始してから２時間）のカウントを始める。以後、タイマ手段６ａにおけるカウントが所定の設定時間を経過したか否かを監視し（Ｓ３０４）、所定時間を経過していない場合（Ｓ３０４−Ｎ）にはステップＳ３０４で監視をし続ける。
【００３２】
タイマ手段６ａにおけるカウントが所定の設定時間を経過した場合（Ｓ３０４−Ｙ）、その時点での時計６ｂによる時刻が作動時間帯に含まれているかを確認する（Ｓ３０５）。現在時刻が作動できる時間帯に含まれている場合（Ｓ３０５−Ｙ）には、空気調和機の運転を停止する（Ｓ３０８）。現在時刻が作動時間帯に含まれていなかった場合（Ｓ３０５−Ｎ）には、定時オフタイマが作動する（Ｓ３０６）。
【００３３】
定時オフタイマが作動した場合（Ｓ３０６）には、現在時刻が定時オフタイマの所定時刻に達したか否かを監視し（Ｓ３０７）、所定時刻に達していない場合（Ｓ３０７−Ｎ）にはステップＳ３０７で監視を続ける。所定時刻に達した場合（Ｓ３０７−Ｙ）には、空気調和機の運転を停止させる（Ｓ３０８）。
【００３４】
以上のように、本発明の実施例３によれば、空気調和機の運転が開始された時刻が作動時間帯、例えば、就業時間外の１７時〜９時までの時間帯に含まれる場合には、切り忘れ防止タイマを作動させ、含まれていない場合には、定時オフタイマを機能させる。例えば、終業時刻である１７時に定時オフタイマによる運転停止時刻を設定している場合には、特別な操作をしなくとも、１７時になれば自動的に空気調和機を停止させる。
【００３５】
また、切り忘れ防止タイマが作動し、タイマ手段６ａによる所定時間経過時の時刻が作動時間帯に含まれない場合には、空気調和機の運転を停止せず、空気調和機の運転を継続するようにし、その代わりに、定時オフタイマを作動させる。例えば、始業時前の８時に空気調和機の運転を開始した場合、切り忘れ防止タイマの所定時間の２時間を経過した時の時刻は１０時と就業時間帯になるので、空気調和機が停止すると、また、運転を開始させなくてはならないので、その手間を省くことができる。
【００３６】
このような制御とすることにより、例えば、空気調和機の運転開始時の時刻が就業時間中であれば、定時オフタイマが機能して就業時間中に空気調和機を停止しないようにして、就業時間外に空気調和機を運転させた場合、切り忘れ防止タイマが作動して所定時間経過後に空気調和機の運転を停止させるようにして、切り忘れ防止タイマを確実に機能させる。
以上の制御により、定時オフタイマによって終業時に一度オフすることを基本として、残業等により再度空気調和機の運転を開始させたような場合に切り忘れ防止タイマを機能させるようにすることが出来るため、２つのタイマ機能が有効に働き、無駄な運転を防ぎ消費電力を抑える運用が可能となる。
【００３７】
上記実施例において、切り忘れ防止タイマを作動させた場合には、作動から時間をカウントし、実施例１、２では所定時間経過時の時刻が、切り忘れ防止タイマによる運転停止を実行する時間帯、また、実施例３では切り忘れ防止タイマが作動する時間帯として、それぞれの時間帯に含まれるか否かを判断するという制御で説明した。しかし、実際にカウントを行わずに、切り忘れ防止タイマの作動時刻から所定時間経過時の時刻を算出し、所定時間経過時の時刻が動作する時間帯に含まれていると判断しても、本発明は何れの制御方法であっても同様に作用するものである。
【００３８】
以上の制御により、空気調和機の運転中は、切り忘れタイマ、または定時オフタイマが必ず作動して、就業時間中には運転を停止させることなく動作し、就業時間外に空気調和機を運転停止し忘れた場合には、必ず停止させることが可能となる。
【符号の説明】
【００３９】
１…室内機、２…室外機、３…リモコン、４…室内機の制御部、５…リモコン受信部、６…タイマ部、６ａ…タイマ手段、６ｂ…時計、７…記憶部、８…通信部、９…報知部、１０…運転部、１１…リモコンの制御部、１２…リモコンの記憶部、１３…操作キー部、１４…表示部、１５…送信部。
【図１】
2013204976.tif 000003
【図２】
2013204976.tif 000004
【図３】
2013204976.tif 000005
【図４】
2013204976.tif 000006